【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
固定部と、
前記固定部に対して移動可能に設けられ、この移動によってレンズを前記固定部に対して駆動する移動部と、
前記移動部を前記固定部に対して移動させる駆動力を前記移動部に伝達する回転部材と、
前記固定部に一体に設けられ、前記回転部材の回転軸を支持する支持部と
を備えるレンズ鏡筒。
【請求項２】
レンズが収容されている収容部と、
前記収容部に対して移動可能に設けられ、この移動によって前記レンズを前記収容部に対して駆動する移動部と、
前記移動部を前記収容部に対して移動させる駆動力を前記移動部に伝達する回転部材と、
前記収容部に一体に設けられ、前記回転部材の回転軸を支持する支持部と
を備えるレンズ鏡筒。
【請求項３】
請求項１又は請求項２に記載のレンズ鏡筒において、
前記駆動力を発生するアクチュエータを備え、
前記アクチュエータは、前記支持部に固定されること
を特徴とするレンズ鏡筒。
【請求項４】
請求項３に記載のレンズ鏡筒において、
前記支持部は、前記アクチュエータを、前記レンズの光軸方向において前記回転軸を支持する側と反対側の面で支持すること
を特徴とするレンズ鏡筒。
【請求項５】
請求項４に記載のレンズ鏡筒において、
前記支持部は、前記アクチュエータを、前記回転部材を支持している位置と前記光軸の回り方向において異なる位置で支持すること
を特徴とするレンズ鏡筒。
【請求項６】
請求項３から請求項５のいずれか１項に記載のレンズ鏡筒において、
前記回転部材は、前記アクチュエータの出力が伝達される第１ギア及び前記移動部に設けられた移動部側ギアと噛合可能な最終ギアを含むギア列であること
を特徴とするレンズ鏡筒。
【請求項７】
請求項６に記載のレンズ鏡筒において、
前記ギア列は、前記回転軸が前記レンズの光軸に対して平行に配置され、
これらの回転軸は、前記光軸又はその近傍を中心とする軸回りに配置されること
を特徴とするレンズ鏡筒。
【請求項８】
請求項６に記載のレンズ鏡筒において、
前記アクチュエータの出力軸、及び、前記ギア列の前記回転軸は、前記レンズの光軸に対して平行に配置され、
前記出力軸及び前記回転軸は、前記光軸又はその近傍を中心とする軸回りに配置されること
を特徴とするレンズ鏡筒。
【請求項９】
請求項１から請求項５のいずれか１項に記載のレンズ鏡筒において、
前記回転部材を複数含み、
前記複数の回転部材は、前記回転軸が前記レンズの光軸に対して平行に配置され、
これらの回転軸は、前記光軸又はその近傍を中心とする軸回りに配置されること
を特徴とするレンズ鏡筒。
【請求項１０】
請求項１に記載のレンズ鏡筒において、
前記固定部は、前記回転軸の一端側を支持する第１の支持部を含む第１の部分と、前記回転軸の他端側を支持する第２の支持部を含む第２の部分とによって形成されること
を特徴とするレンズ鏡筒。
【請求項１１】
請求項１に記載のレンズ鏡筒において、
カメラ本体に設けられたカメラ側マウントに対して着脱可能に係合し、前記固定部を前記カメラ本体に対して固定する鏡筒側マウントを備えること
を特徴とするレンズ鏡筒。
【請求項１２】
請求項２に記載のレンズ鏡筒において、
前記収容部は、前記回転軸の一端側を支持する第１の支持部を含む第１の部分と、前記回転軸の他端側を支持する第２の支持部を含む第２の部分とによって形成されること
を特徴とするレンズ鏡筒。
【請求項１３】
請求項２に記載のレンズ鏡筒において、
カメラ本体に設けられたカメラ側マウントに対して着脱可能に係合し、前記収容部を前記カメラ本体に対して固定する鏡筒側マウントを備えること
を特徴とするレンズ鏡筒。
【手続補正２】
【補正対象書類名】明細書
【補正対象項目名】０００６
【補正方法】変更
【補正の内容】
【０００６】
請求項３の発明は、請求項１又は請求項２に記載のレンズ鏡筒において、前記駆動力を発生するアクチュエータ（８２）を備え、前記アクチュエータは、前記支持部（８１）に固定されることを特徴とするレンズ鏡筒（１）である。
請求項４の発明は、請求項３に記載のレンズ鏡筒において、前記支持部（８１）は、前記アクチュエータ（８２）を、前記レンズ（Ｌ２）の光軸方向において前記回転軸を支持する側と反対側の面で支持することを特徴とするレンズ鏡筒（１）である。
請求項５の発明は、請求項４に記載のレンズ鏡筒において、前記支持部（８１）は、前記アクチュエータ（８２）を、前記回転部材（８４，８５）を支持している位置と前記光軸の回り方向において異なる位置で支持することを特徴とするレンズ鏡筒（１）である。
請求項６の発明は、請求項３から請求項５のいずれか１項に記載のレンズ鏡筒において、前記回転部材は、前記アクチュエータ（８２）の出力が伝達される第１ギア（８４）及び前記移動部（６０）に設けられた移動部側ギア（８６）と噛合可能な最終ギア（８５）を含むギア列であることを特徴とするレンズ鏡筒（１）である。
請求項７の発明は、請求項６に記載のレンズ鏡筒において、前記ギア列（８４、８５）は、前記回転軸（８４ａ、８５ｃ）が前記レンズ（Ｌ２）の光軸（Ｏ）に対して平行に配置され、これらの回転軸は、前記光軸又はその近傍を中心とする軸回りに配置されることを特徴とするレンズ鏡筒（１）である。
請求項８の発明は、請求項６に記載のレンズ鏡筒において、前記アクチュエータ（８２）の出力軸（８２ａ）、及び、前記ギア列（８４、８５）の前記回転軸（８４ａ、８５ｃ）は、前記レンズ（Ｌ２）の光軸（Ｏ）に対して平行に配置され、前記出力軸及び前記回転軸は、前記光軸又はその近傍を中心とする軸回りに配置されることを特徴とするレンズ鏡筒（１）である。
請求項９の発明は、請求項１から請求項５のいずれか１項に記載のレンズ鏡筒において、前記回転部材を複数含み、前記複数の回転部材（８４、８５）は、前記回転軸（８４ａ、８５ｃ）が前記レンズ（Ｌ２）の光軸（Ｏ）に対して平行に配置され、これらの回転軸は、前記光軸又はその近傍を中心とする軸回りに配置されることを特徴とするレンズ鏡筒（１）である。
【手続補正３】
【補正対象書類名】明細書
【補正対象項目名】０００７
【補正方法】変更
【補正の内容】
【０００７】
請求項１０の発明は、請求項１に記載のレンズ鏡筒において、前記固定部（１４０）は、前記回転軸（１８５ｃ）の一端側を支持する第１の支持部（８１ａ）を含む第１の部分（１４０ａ）と、前記回転軸の他端側を支持する第２の支持部（８１ｂ）を含む第２の部分（１４０ｂ）とによって形成されることを特徴とするレンズ鏡筒（１０１）である。
請求項１１の発明は、請求項１に記載のレンズ鏡筒において、カメラ本体に設けられたカメラ側マウントに対して着脱可能に係合し、前記固定部（４０）を前記カメラ本体に対して固定する鏡筒側マウント（５１）を備えることを特徴とするレンズ鏡筒（１）である。
【手続補正４】
【補正対象書類名】明細書
【補正対象項目名】０００８
【補正方法】変更
【補正の内容】
【０００８】
請求項１２の発明は、請求項２に記載のレンズ鏡筒において、前記収容部（１４０）は、前記回転軸（１８５ｃ）の一端側を支持する第１の支持部（８１ａ）を含む第１の部分（１４０ａ）と、前記回転軸の他端側を支持する第２の支持部（８１ｂ）を含む第２の部分（１４０ｂ）とによって形成されることを特徴とするレンズ鏡筒（１０１）である。
請求項１３の発明は、請求項２に記載のレンズ鏡筒において、カメラ本体に設けられたカメラ側マウントに対して着脱可能に係合し、前記収容部（４０）を前記カメラ本体に対して固定する鏡筒側マウント（５１）を備えることを特徴とするレンズ鏡筒（１）である。
なお、符号を付して説明した構成は、適宜改良してもよく、また、少なくとも一部を他の構成物に代替してもよい。